(57)【特許請求の範囲】
【請求項１】
水路内の塵芥を捕捉して水路外に排出する除塵機において、
前記水路の側壁に沿って対向配置される一対の側板と、水路上方に立ち上がった前記両側板の上流側間を閉塞する前板及び下流側間を閉塞する後板及び上部間を閉塞する天板と、水路内の前記両側板の下端部に掛け渡されて水路底面に当接した状態で配置される底部材とを備えた収納体と、
該収納体内で前記水路内の前記両側板の下流側間に配置されたバースクリーンと、
前記両側板の内面にそれぞれ設けられたガイド部にガイドされて前記バースクリーンの上流側面を昇降するレーキと、該レーキを昇降させるレーキ駆動手段と、
前記レーキの上昇位置に対応して前記後板に設けられた排出口及び該排出口に連設した排出シュートと、
前記レーキの上方に設けられてレーキ部が掻き揚げた塵芥を前記排出口から前記排出シュートに向かって排出するためのワイパーと、
前記両側板、前板及び後板の外面に水平方向に設けられた据付部材と、
の構成部材を備え、
設置する水路の寸法に合わせてこれらの構成部材を一体化した状態で製作し、
前記据付部材が前記水路の両上縁又は前記水路の上部を覆う蓋板に固定手段にて固定されている
ことを特徴とする除塵機。
【発明の詳細な説明】
【技術分野】
【０００１】
本発明は、除塵機に関し、詳しくは、水路を流れる流水中の塵芥をバースクリーンで捕捉し、該バースクリーンで捕捉した塵芥をレーキによって自動的に水路外に排出する除塵機に関する。
【背景技術】
【０００２】
取水口，分水口，揚排水機場等の水路に設けられる除塵機は、一般に、水路内に配設したバースクリーンにより水路を流れる塵芥を捕捉し、捕捉した塵芥をスクリーンの前面に沿って上昇するレーキにより掻き揚げ、レーキの上昇端付近の下方に設けたシュート内に落下させて水路内から除去するように構成されている。このような除塵機におけるレーキの駆動方式として、ロータリーレーキ式の除塵機（例えば、特許文献１参照。）及びピンラック式の除塵機（例えば、特許文献２参照。）が広く知られている。
【０００３】
【特許文献１】実開平７−１２５２１号公報
【特許文献２】特開平５−２６３４１０号公報
【発明の開示】
【発明が解決しようとする課題】
【０００４】
従来の除塵機は、一般に、水路を横切るようにバースクリーンを固定するとともに、該バースクリーンの上流側の両側壁に一対の側部フレームや側板をそれぞれ固定し、この側部フレームや側板に、レーキをガイドするガイドレールや駆動機構を取り付けるようにしている。したがって、除塵機の設置には、水路の側壁及び底部にバースクリーンを固定したり、側壁に側部フレームや側板を固定したりする作業が必要となる。このため、既存の水路に設置されている除塵機を更新するときには、水路の水を抜いてこれらの作業を行う必要があり、水路が数日間にわたって使用できなくなることから、水路を利用する設備に影響を与えたり、工事日程の調整に手間が掛かったりする問題があった。
【０００５】
さらに、下排水路に除塵機を設ける場合、近年は悪臭対策や騒音対策が求められるため、除塵機の周囲を覆うカバーを別途設置することが行われており、このカバーの設置にも多大なコストと手間とが掛かっていた。
【０００６】
そこで本発明は、悪臭対策、騒音対策を考慮しながら水路への設置を極めて容易に行うことができる除塵機を提供することを目的としている。
【課題を解決するための手段】
【０００７】
上記目的を達成するため、本発明の除塵機は、水路内の塵芥を捕捉して水路外に排出する除塵機において、前記水路の側壁に沿って対向配置される一対の側板と、水路上方に立ち上がった前記両側板の上流側間を閉塞する前板及び下流側間を閉塞する後板及び上部間を閉塞する天板と、水路内の前記両側板の下端部に掛け渡されて水路底面に当接した状態で配置される底部材とを備えた収納体と、該収納体内で前記水路内の前記両側板の下流側間に配置されたバースクリーンと、前記両側板の内面にそれぞれ設けられたガイド部にガイドされて前記バースクリーンの上流側面を昇降するレーキと、該レーキを昇降させるレーキ駆動手段と、前記レーキの上昇位置に対応して前記後板に設けられた排出口及び該排出口に連設した排出シュートと、前記レーキの上方に設けられてレーキ部が掻き揚げた塵芥を前記排出口から前記排出シュートに向かって排出するためのワイパーと、前記両側板、前板及び後板の外面に水平方向に設けられた据付部材と、の構成部材を備え、設置する水路の寸法に合わせてこれらの構成部材を一体化した状態で製作し、前記据付部材が前記水路の両上縁又は前記水路の上部を覆う蓋板に固定手段にて固定されていることを特徴としている。
【発明の効果】
【０００８】
本発明の除塵機は、設置する水路の寸法に合わせてバースクリーン、レーキ、ガイドレール、駆動機構、防臭及び防音用のカバーなどの構成部材を一体化した状態で製作しているので、水路への設置は、収納体の下部を水路の所定位置に嵌め込み、据付部材を水路の両上縁や水路の蓋などに適宜な固定手段で固定するだけで行うことができ、水路内での据付作業を行う必要がないので、短時間で簡単に除塵機を設置することができる。また、除塵機上部が収納体によって覆われているため、悪臭や騒音の発生も抑えることができる。
【発明を実施するための最良の形態】
【０００９】
図は本発明の除塵機の一形態例を示すもので、図１は除塵機の斜視図、図２は除塵機の設置状態を示す断面側面図、図３は除塵機の設置状態を示す正面図、図４はレーキ及びワイパーを省略した除塵機の断面側面図である。
【００１０】
この除塵機は、水路１０の両側壁１０ａ，１０ａに沿って対向配置され、水路１０の上方まで立ち上がった一対の側板１１，１１と、水路１０の上方に立ち上がった前記両側板１１の上流側間を閉塞する前板１２及び下流側間を閉塞する後板１３及び上部間を閉塞する天板１４と、水路１０内の前記両側板１１の下端部に掛け渡されて水路１０の底面１０ｂに当接した状態で配置される底部材１５とを備えた箱形の収納体１６を有している。この収納体１６は、前板１２の下方及び後板１３の下方がそれぞれ開口した状態になっており、前後の開口を通って水路１０内の水が除塵機の前方から後方に向かって流れるように形成されている。
【００１１】
前記収納体１６の内部には、水路１０内の前記両側板１１の下流側間で後板１３の下方の前記開口を塞ぐようにして上下方向に多数のバーを所定間隔で平行に配置したバースクリーン１７が設けられ、前記両側板１１の内面には、凹溝からなる無端状ガイド部１８及び直線状ガイド部１９が設けられるとともに、無端状ガイド部１８及び直線状ガイド部１９にガイドされて前記バースクリーン１７の上流側を昇降するレーキ２０が設けられている。
【００１２】
無端状ガイド部１８は、ラック２１の両側に沿う一対の直線部１８ａ，１８ｂと両直線部１８ａ，１８ｂの上下両端を接続する円弧部１８ｃ，１８ｄとを有しており、直線状ガイド部１９は、ラック２１の上流側に位置する直線部１８ａの上流側に隣接して平行に設けられ、無端状ガイド部１８の上下方向中間部から上部の円弧部１８ｄの上方にわたって設けられている。また、ラック２１は、上下方向に３本のラック部材２１ａに分割形成して側板１１の内面にボルトなどで取り付けるようにしている。これにより、ラック２１の短寸化及び軽量化が図れ、摩耗などでラックピンを交換する際に各部材毎に行うことができ、作業性の向上や作業時間の短縮を図ることができる。
【００１３】
レーキ２０は、前記バースクリーン１７に対応した櫛歯を有するレーキ部２２と、該レーキ部２２を下端で支持する２本のレーキアーム２３と、該レーキアーム２３の上下方向中間部を保持する保持筒２４と、前記レーキアーム２３の上端部に掛け渡されて両端に前記直線状ガイド部１９の溝内に嵌入する上部ガイドローラ２５をそれぞれ有する上部ガイド軸２６と、前記保持筒２４内に回転可能に保持された駆動軸２７と、該駆動軸２７の中央部に設けられた水中モータ２８と、前記駆動軸２７の両端部にそれぞれ設けられて前記ラック２１に歯合するスプロケット２９と、前記駆動軸２７の両端から前記スプロケット２９の外側に突出して無端状ガイド部１８の溝内に嵌入する下部ガイドローラ３０とを有している。
【００１４】
このレーキ２０は、レーキ駆動手段である水中モータ２８により適宜な減速器を介して駆動軸２７を回転させ、スプロケット２９を所定の方向に回転させることにより、上部ガイドローラ２５が直線状ガイド部１９にガイドされて昇降し、下部ガイドローラ３０は、前方の直線部１８ａを下降して下端の円弧部１８ｃを通り、後方の直線部１８ｂを上昇し、上端の円弧部１８ｄから前方の直線部１８ａを下降する動作を繰り返す。これにより、レーキ部２２は、バースクリーン１７から離れた状態で下降し、最も下降したときに上部ガイドローラ２５を支点としてレーキアーム２３が回動することによりバースクリーン１７の前面に近付き、レーキ部２２の先端がバースクリーン１７の前面から後板１３の内面に沿った状態で上昇する動きを繰り返す。
【００１５】
また、後板１３には、レーキ２０の上昇位置に対応した位置に排出口３１が設けられるとともに、該排出口３１の外側に排出シュート３２が連設されている。さらに、レーキ２０の上方には、前記レーキ部２２が掻き揚げた塵芥を排出口３１から排出シュート３２に向かって排出するためのワイパー３３が設けられている。このワイパー３３は、両側板１１の上部に設けられたワイパーアーム軸３４に揺動可能に支持されたワイパーアーム３５の下端にワイパー板３６を設けるとともに、ワイパーアーム３５の上端前方にバランスウエイト３７を設けたもので、通常は、ワイパーアーム３５がストッパー３８に当接した状態で保持されている。さらに、前板１２には点検扉３９と点検用照明４０とが設けられ、天板１４には上部点検口４１が、一方の側板１１には換気扇４２がそれぞれ設けられている。
【００１６】
そして、前記両側板１１、前板１２及び後板１３の外面には、前記収納体１６の周囲を囲むようにして水平方向に設けられた据付部材４３が設けられている。この据付部材４３は、水路１０の両上縁１０ｃや水路１０の上部を覆う蓋板などに適宜な固定手段、例えばアンカーボルトなどで固定できるように形成されている。
【００１７】
このように、箱状の収納体１６によってユニット化された除塵機は、コンクリートなどで形成される水路１０の深さや流路幅に合わせて各部の寸法が設定され、また、各部材は、水中乃至多湿環境での使用を考慮して耐食性、耐摩耗性に優れた材質を使用し、例えばステンレス鋼、ナイロンのような合成樹脂で形成され、特に無塗装化を図ることにより、長期にわたって保守費用の軽減を図ることができる。
【００１８】
水路１０への除塵機の設置は、前板１２を上流側に向けて据付部材４３から下の部分を水路１０内に挿入し、アンカーボルトなどを使用して据付部材４３を水路１０の両上縁１０ｃに固定するとともに、周囲の仕上げ工事や電気工事を行うだけでよく、現場での組み立てがほとんどないため、従来に比べて除塵機の施工期間を大幅に短縮することができる。
【００１９】
水路１０に設置された除塵機は、バースクリーン１７によって水路１０内を流れる塵芥を捕捉し、連続的に又はタイマーなどを利用して間欠的にレーキ２０を作動させることにより、バースクリーン１７に捕捉した塵芥をレーキ部２２で掻き揚げ、後板１３の内面に沿って上方の排出口３１から排出する。また、レーキ部２２が排出口３１の部分まで上昇すると、レーキ部２２のレーキアーム２３側基部上面にワイパー板３６の下端が当接し、レーキ部２２の上昇に伴ってワイパー板３６がレーキ部２２の先端に向けて移動することにより、レーキ部２２で掻き揚げられた塵芥が排出口３１から排出シュート３２に向けて確実に排出される。
【００２０】
このとき、レーキ２０の機械的な昇降に伴って動作音が発生するが、レーキ２０が収納体１６内に収納されているため、外部への動作音の漏れを抑えることができる。また、必要に応じて収納体１６に吸音材や防振材を取り付けることによって、更に低騒音化を図ることができる。さらに、塵芥やし渣から悪臭が発生する場合でも、悪臭が周辺に流れることを抑えることができ、必要に応じて収納体１６内に脱臭器を設けることによって悪臭発生をより確実に抑えることができる。
【００２１】
なお、各部の形状は、水路１０の構造や水量などの条件に応じて適宜最適な形状を選択することができ、例えば、本形態例ではバースクリーン１７を水路１０の底面１０ｂに対して直角に設けているが、バースクリーン１７及び後板１３の上部を下流側に傾斜させて設けることも可能である。
【図面の簡単な説明】
【００２２】
【図１】除塵機の斜視図である。
【図２】除塵機の設置状態を示す断面側面図である。
【図３】除塵機の設置状態を示す正面図である。
【図４】レーキ及びワイパーを省略した除塵機の断面側面図である。
【符号の説明】
【００２３】
１０…水路、１０ａ…側壁、１０ｂ…底面、１０ｃ…上縁、１１…側板、１２…前板、１３…後板、１４…天板、１５…底部材、１６…収納体、１７…バースクリーン、１８…無端状ガイド部、１８ａ，１８ｂ…直線部、１８ｃ，１８ｄ…円弧部、１９…直線状ガイド部、２０…レーキ、２１…ラック、２１ａ…ラック部材、２２…レーキ部、２３…レーキアーム、２４…保持筒、２５…上部ガイドローラ、２６…上部ガイド軸、２７…駆動軸、２８…水中モータ、２９…スプロケット、３０…下部ガイドローラ、３１…排出口、３２…排出シュート、３３…ワイパー、３４…ワイパーアーム軸、３５…ワイパーアーム、３６…ワイパー板、３７…バランスウエイト、３８…ストッパー、３９…点検扉、４０…点検用照明、４１…上部点検口、４２…換気扇、４３…据付部材
【図１】
0005069966.tif 000002
【図２】
0005069966.tif 000003
【図３】
0005069966.tif 000004
【図４】
0005069966.tif 000005